(57)【要約】チャネル状態情報基準システム（ＣＳＩ−ＲＳ）を使用する、無線ネットワーク展開における小規模セル発見の方法が提案される。最初に、無線通信システムが、サブフレームの各リソースブロック内のリソース要素の対をＣＳＩ−ＲＳ構成に割り当てる。２つの直交カバーコードのうちの第１のものが、第１のＣＳＩ−ＲＳに適用される。ＣＳＩ−ＲＳは、小規模セルによってユーザ機器（ＵＥ）に伝送される。ＵＥは、小規模セル発見および小規模セルの測定を実施するために、ＣＳＩ−ＲＳを利用する。
2017500803.tif 000002
【特許請求の範囲】
【請求項１】
無線ネットワーク展開におけるチャネル状態情報基準システム（ＣＳＩ−ＲＳ）発見をサポートするためのデバイスであって、前記デバイスは、無線通信システムを備え、
前記無線通信システムは、動作時、
第１のＣＳＩ−ＲＳを２つの直交カバーコードのうちの第１のもので構成することと、
リソースブロックの全体にわたり複数のリソース要素対を均一に分配することと、
前記第１のＣＳＩ−ＲＳを少なくとも１つのユーザ機器（ＵＥ）に伝送することと
を行う、デバイス。
【請求項２】
前記第１のＣＳＩ−ＲＳは、自己相関関数ピーク時間差が前記少なくとも１つのＵＥのサーチウィンドウサイズよりも大きくなるように構成されている、請求項１に記載のデバイス。
【請求項３】
１つのサブフレーム内の前記第１のＣＳＩ−ＲＳのために定義されたリソース要素対の合計数が２０個以下である場合、前記第１のＣＳＩ−ＲＳは、前記リソース要素対を前記リソースブロックの周波数ドメイン内に均一に分配するように構成されている、請求項１に記載のデバイス。
【請求項４】
前記無線システムは、動作時、
第２のＣＳＩ−ＲＳを前記２つの直交カバーコードのうちの第２のもので構成することと、
前記第２のＣＳＩ−ＲＳを前記第１のＣＳＩ−ＲＳと少なくとも部分的に同時に伝送する、請求項１に記載のデバイス。
【請求項５】
前記ＵＥは、前記第１のＣＳＩ−ＲＳおよび前記第２のＣＳＩ−ＲＳを同時に処理するように構成されている、請求項４に記載のデバイス。
【請求項６】
前記ＣＳＩ−ＲＳは、４０個の小規模セルをサポートするように構成されている、請求項１に記載のデバイス。
【請求項７】
前記２つの直交カバーコードは、第１のカバーコード（＋１，＋１）と、第２のカバーコード（＋１，−１）を備えている、請求項１に記載のデバイス。
【請求項８】
前記無線通信システムは、動作時、一次同期信号または二次同期信号（ＰＳＳ／ＳＳＳ）を前記ＵＥに伝送し、前記ＣＳＩ−ＲＳは、同期されたクラスタのセルによって伝送される、請求項１に記載のデバイス。
【請求項９】
前記同期されたクラスタの前記セルは、前記同期されたクラスタの最も強いセルを備えている、請求項８に記載のデバイス。
【請求項１０】
前記無線通信システムは、動作時、前記ＵＥからセル発見報告を受信する、請求項８に記載のデバイス。
【請求項１１】
無線ネットワーク展開におけるセル発見の方法であって、
第１のセルによって、サブフレームの各リソースブロック内のリソース要素対を第１のチャネル状態情報基準システム（ＣＳＩ−ＲＳ）構成に割り当てることと、
前記第１のセルによって、２つの直交カバーコードのうちの第１のものを前記第１のＣＳＩ−ＲＳに適用することと、
前記第１のセルによって、前記第１のＣＳＩ−ＲＳをユーザ機器（ＵＥ）に伝送することと
を含む、方法。
【請求項１２】
前記第１のＣＳＩ−ＲＳの各リソースブロックが各リソースブロックの自己相関関数ピーク時間差を前記ＵＥのサーチウィンドウサイズよりも大きくすることをさらに含む、請求項１１に記載の方法。
【請求項１３】
前記割り当てられた各リソースブロック内のリソース要素を周波数ドメイン内に均一に分配することをさらに含む、請求項１１に記載の方法。
【請求項１４】
第２のセルによって、サブフレームの各リソースブロック内のリソース要素を第２のＣＳＩ−ＲＳ構成に割り当てることと、
前記第２のセルによって、２つの直交カバーコードのうちの第２のものを前記第２のＣＳＩ−ＲＳに適用することと、
前記第２のセルによって、前記第２のＣＳＩ−ＲＳを前記ＵＥに伝送することと
をさらに含む、請求項１１に記載の方法。
【請求項１５】
前記ＵＥによって、前記第１のＣＳＩ−ＲＳおよび前記第２のＣＳＩ−ＲＳを同時に処理し、ＣＳＩ−ＲＳ検出を実施することをさらに含む、請求項１４に記載の方法。
【請求項１６】
前記２つの直交カバーコードは、カバーコードのセット｛（＋１，＋１），（＋１，−１）｝を備えている、請求項１４に記載の方法。
【請求項１７】
前記第２のセルによって、一次同期信号または二次同期信号（ＰＳＳ／ＳＳＳ）を前記ＵＥに伝送することをさらに含み、前記第２のセルは、同期されたクラスタのセルを備えている、請求項１４に記載の方法。
【請求項１８】
前記ＵＥによって、前記第１のセルにセル発見応答を伝送することをさらに含む、請求項１７に記載の方法。
【請求項１９】
ユーザ機器（ＵＥ）によってチャネル状態情報基準システム（ＣＳＩ−ＲＳ）発見を実施する方法であって、前記方法は、
前記ＵＥによって、小規模セルから一次同期信号または二次同期信号（ＰＳＳ／ＳＳＳ）を受信することであって、前記小規模セルは、セルの同期されたクラスタの一部である、ことと、
前記ＵＥによって、ＰＳＳ／ＳＳＳを使用してＣＳＩ−ＲＳ伝送のタイミングを取得することと、
前記ＵＥによって、前記ＣＳＩ−ＲＳ伝送を使用して前記小規模セルに対してセル発見および測定を実施することと
を含む、方法。
【請求項２０】
前記ＵＥによって、サービングセルにセル発見報告を伝送することをさらに含む、請求項１９に記載の方法。
【発明の詳細な説明】
【技術分野】
【０００１】
（関連出願）
本願は、米国特許法§１１９（ｅ）に基づき、米国仮出願第６１／９１４，８４３号（２０１３年１２月１１日出願、名称「ＣＳＩ−ＲＳ  ＢＡＳＥＤ  ＣＥＬＬ  ＤＩＳＣＯＶＥＲＹ  ＳＩＧＮＡＬ」）、および米国仮出願第６１／９３３，６４８号（２０１４年１月３０日出願、名称「ＣＳＩ−ＲＳ  ＢＡＳＥＤ  ＣＥＬＬ  ＤＩＳＣＯＶＥＲＹ  ＳＩＧＮＡＬ」）の利益を主張し、上記出願の各々は、その全体が参照により本明細書に援用される。
【０００２】
（技術分野）
本発明は、セルラー通信システムに関し、より具体的には、多くの小規模セルを含む密に展開されたネットワークに関する。
【背景技術】
【０００３】
現代のセルラー通信システムは、世界中で、音声サービスだけではなく、モバイルブロードバンドサービスも提供している。携帯電話および他の無線デバイスのための用途の数が、増加し続け、より多くのデータ量を消費し続けるにつれて、モバイルブロードバンドデータサービスに対する膨大な需要が、もたらされる。これは、通信会社のオペレータに、可能な限りデータスループットを改善し、限定されたリソースの効率的利用を最大化することを要求する。
【０００４】
２地点間のリンクに関するスペクトル効率が、その理論的限界にすでに近づいているという事実に応答して、通信業界は、モバイルブロードバンドデータサービスに対する増大する需要を充足するために、多層ネットワークの概念を導入している。概して、多層ネットワークは、キャリア、伝送電力等の異なる物理的なリソースを提供するか、またはそれを可能にするベースステーションのいくつかの層から成る。異種ネットワーク（ＨｅｔＮｅｔ）は、高伝送電力ベースステーションから成るマクロ層（マクロ層ノード）が、少なくとも１つのコモンキャリアを使用して、低伝送電力ノード（ＬＰＮ）層で補完される典型的な２層ネットワークの一実施例である。異種ネットワークの別の実施例は、マクロ層ノードと異なる周波数キャリアを使用して通信を提供するＬＰＮノードの層で補完されるマクロ層から成る。
【０００５】
しかしながら、多層ネットワークを展開することの１つの影響は、セル位置の密度が、有意に増加させられなければならないことである。例えば、小規模セル間の位置間距離は、マクロセル間の数百メートルの距離と比較して、２０メートルまたはそれ未満であり得る。超高密度の展開は、ユーザ機器（ＵＥ）が、包囲するセルを時間内に発見できることを要求する。しかしながら、同期チャネル（ＰＳＳおよびＳＳＳ）を検出する従来のセル発見機構は、超高密度のセル展開に対してではなく、マクロ展開に対して設計および最適化されている。
【０００６】
現在のチャネル状態情報基準シンボル（ＣＳＩ−ＲＳ）は、小規模セル発見を目的として拡張され得る。現在の３ＧＰＰ仕様（リリース−１１）によると、１つのポートに対するＣＳＩ−ＲＳは、１つのサブフレーム内の各リソースブロック（ＲＢ）内のリソース要素（ＲＥ）の一対である。用語「ＲＢ」は、本明細書において、周波数ドメインにおける１２個の連続するサブキャリアと、時間ドメインにおける１つのサブフレームとを含む時間周波数平面の領域を指すように使用される。
【０００７】
図１は、現在のＣＳＩ−ＲＳ構成１００の一実施形態を例証する。例証されるＣＳＩ−ＲＳでは、２０個の構成に対応するＣＳＩ−ＲＳシンボルを搬送するために、各ＲＢ１０４内に定義される２０個のＲＥ１０２の対がその中に存在する。各対は、２つの隣接するＲＥを含み、ＣＳＩ−ＲＳの２つのポートが、同一の物理的ＲＥを共有することを可能にするために、２の長さを伴うカバーコードが対上に適用される。
【０００８】
各構成では、複数のポート｛１，２，４，８｝が、ポート１５〜２２の番号付けによって定義されることができ、ＵＥは、１つのＣＳＩ−ＲＳ構成からのアンテナポートの全ては、準同位置にあると仮定し得る。信号伝達オーバーヘッドを減少させるために、共通基準ＲＥ対が、同一構成に対する異なるポート設定のために定義され、周波数ドメイン内の固定されたオフセットが、異なるポートのための共通基準ＲＥ対上に適用される。例示的構成が、表１に示される。
【表１】
2017500803.tif 000003
【０００９】
ＵＥが、各アンテナポート上で別個に測定（チャネル推定、受信電力推定等）を実施することができる。しかしながら、ＵＥは、異なるＲＢ内の同一ＲＥ対にわたって平均化または他のフィルタ処理を実施し得る。現在のＣＳＩ−ＲＳ構成は、小規模セル発見を目的として使用されることはできるが、ＲＲＣ＿ＣＯＮＮＥＣＴＥＤモードにおけるＵＥにしか適用されることができない。サービングセルは、特定のＵＥによって発見されることが意図される、標的小規模セルリストを作成し、リストに対するＣＳＩ−ＲＳ構成を決定する。サービングセルは、Ｘ２インターフェースを介して対応する小規模セルを知らせ、信号メッセージを介してＵＥにＣＳＩ−ＲＳ構成を知らせる。ＵＥがあるＣＳＩ−ＲＳ構成を受信した後、ＵＥは、ローカルで生成されたＣＳＩ−ＲＳサンプルを受信された信号に相関させることによって、事前決定された時間ウィンドウ内で、標的ＣＳＩ−ＲＳシンボルの正確なタイミングを見出す。
【００１０】
セル発見を目的として従来のＣＳＩ−ＲＳを適用するためには、２つの主要な問題が存在する。（１）準同位置にないシナリオでは、１つのＣＳＩ−ＲＳ構成内の１つのアンテナポートのみがセル発見のために使用される場合、現在の３ＧＰＰ仕様（リリース−１１）によると、カバーコード（＋１，＋１）を伴うアンテナポート１５のみが、使用される。同一のリソースのセットに対して適用される他のコード（＋１，−１）は、これが別の小規模セルによって発見信号として使用され得るため、無駄にされる。（２）ＣＳＩ−ＲＳの性質およびＣＳＩ−ＲＳのＲＥ対が各ＲＢにおいて１回繰り返されることに起因して、その自己相関関数内に多くのピークが存在し、２つの隣接するピーク間の距離は、図２Ａ−２Ｂに例証されるように、約５．５６マイクロ秒（μｓ）である。
【００１１】
ＵＥが精緻化された時間同期を実施するとき、サーチウィンドウサイズが５．５６μｓを上回る場合、信号内にいかなる雑音も存在しないとしても、結果において、類似する大きさを伴う２つのピークが、存在するであろう。このピーク不明瞭問題は、いくつかのＩＳＩ（シンボル間干渉）をもたらし、ＣＳＩ−ＲＳの検出および測定性能を劣化させる。現在の仕様による、１つのＣＳＩ−ＲＳ構成に対する複数のアンテナポートは、前述される動作が各アンテナポート上で独立して実施されるため、ピーク不明瞭問題を解決できない。
【発明の概要】
【課題を解決するための手段】
【００１２】
一実施形態では、小規模セル発見のために構成されるＣＳＩ−ＲＳが、ＣＳＩ−ＲＳの１つのポートが各ＲＢ内で１つのＲＥ対を占有する、従来の割当と比較して、各ＲＢ内に追加のＲＥを含む。ＲＥ対は、周波数ドメイン内に均一に分配される。各ＲＢでは、小規模セル発見ＣＳＩ−ＲＳの発生は、自己相関関数ピーク時間差を１つ以上のＵＥの実際のサーチウィンドウサイズよりも大きくするように構成される。
【００１３】
同期された小規模セルクラスタを備えている一実施形態では、同期された小規模セルクラスタがＣＳＩ−ＲＳのタイミングのＵＥ側への不確定性をもたらすため、ＵＥは、小規模セル発見信号としてのＣＳＩ−ＲＳの検出および／または測定に進む前に、タイミングを取得しなければならない。ＵＥは、最初に、同期されたクラスタのタイミングを取得するために、一次同期信号（ＰＳＳ）および／または二次同期信号（ＳＳＳ）を使用する。このＰＳＳ／ＳＳＳは、そのＣＳＩ−ＲＳを伝送する同一セルに、および／またはそのＣＳＩ−ＲＳを伝送するセルに同期される最も強いセルに由来し得る。ＵＥがタイミングを取得した後、ＵＥは、構成されたＣＳＩ−ＲＳを特定し、適宜、セル発見および測定を実施する。ＵＥは、サービングセルに発見されたセルを報告する。
【図面の簡単な説明】
【００１４】
１つ以上の種々の実施形態による、本発明は、以下の図を参照して詳細に説明される。図面は、例証のみの目的のために提供され、単に、本発明の例示的実施形態を描写する。これらの図面は、本発明の読者の理解を促進するために提供され、本発明の範疇、範囲、または適用性の制限と見なされるべきではない。例証の明確性および容易性のために、これらの図面は、必ずしも、縮尺通りではないことに留意されたい。
【００１５】
【図１】図１は、複数のチャネル状態情報基準シンボル（ＣＳＩ−ＲＳ）および構成の一実施形態を例証する。
【００１６】
【図２Ａ】図２Ａは、ＣＳＩ−ＲＳリソース要素（ＲＥ）対の自己相関関数の一実施形態を例証する、グラフである。
【００１７】
【図２Ｂ】図２Ｂは、１３０μｓ〜１６０μｓの図２Ａの自己相関関数の一部を例証する、グラフである。
【００１８】
【図３】図３は、小規模セル発見ＣＳＩ−ＲＳのためのＲＥ割当の一実施形態を例証する。
【００１９】
【図４Ａ】図４Ａは、１１．０２μｓよりも小さいウィンドウサイズを有する、ＣＳＩ−ＲＳのＲＥ対の自己相関関数の一実施形態を例証する、グラフである。
【００２０】
【図４Ｂ】図４Ｂは、１２０μｓ〜１８０μｓの図４Ａの自己相関関数の一部を例証する、グラフである。
【００２１】
【図５】図５は、小規模セル発見ＣＳＩ−ＲＳのためのＲＥ割当の一実施形態を例証する。
【００２２】
【図６】図６は、図５のＣＳＩ−ＲＳの自己相関関数の一実施形態を例証する、グラフである。
【００２３】
【図７】図７は、同期された小規模セルクラスタにおけるＣＳＩ−ＲＳセル発見の一実施形態を例証する。
【発明を実施するための形態】
【００２４】
一実施形態では、ＣＳＩ−ＲＳが、小規模セル発見のために構成される。ＣＳＩ−ＲＳは、従来の割当と比較して、各リソースブロック（ＲＢ）内に追加のリソース要素（ＲＥ）を含むように構成される。ＣＳＩ−ＲＳの１つのポートが、各ＲＢ内で１つのＲＥ対を占有する。ＲＥ対は、周波数ドメイン内に均一に分配される。いくつかの実施形態では、各ＲＢ内では、小規模セル発見ＣＳＩ−ＲＳの発生は、自己相関関数ピーク時間差を１つ以上のＵＥの実際のサーチウィンドウサイズよりも大きくさせるように構成される。ＣＳＩ−ＲＳが小規模セル発見を目的として構成されるとき、ＣＳＩ−ＲＳは、２つのカバーコード（＋１，＋１）または（＋１，−１）のうちの１つで構成されることができる。小規模セル発見のために構成されるＣＳＩ−ＲＳを利用する場合、ＵＥは、１つのＣＳＩ−ＲＳ発見構成からのアンテナポートが、準同位置であると仮定しないこともある。いくつかの実施形態では、サポートされるＣＳＩ−ＲＳ信号を伝送する重複する小規模セルの合計数は、２０個から４０個に増加させられる。
【００２５】
一実施形態では、１つのサブフレーム内でＣＳＩ−ＲＳのために定義されるＲＥの合計数が、従来のＣＳＩ−ＲＳと同一のままである場合（例えば、２０個未満）、小規模セル発見のためのＣＳＩ−ＲＳは、より多くのＲＥで構成され、周波数ドメイン内に均一に分配されることができる。図３は、均一に分配されたＣＳＩ−ＲＳ３００の一実施形態を例証する。ＣＳＩ−ＲＳ３００の各ポートに対するＲＥ３０２の数は、利用可能な構成の合計数を減少させることを犠牲にして、小規模セル発見のために２倍にされる。図３に例証される実施形態では、サーチウィンドウサイズが、例えば、１１．０２μｓ等、事前決定された閾値よりも小さい場合、ＣＳＩ−ＲＳの自己相関関数におけるピーク不明瞭問題は、解決される。図４Ａは、図３のＣＳＩ−ＲＳ３００のＲＥ対の自己相関関数４００を例証するグラフである。図４Ｂは、１２０μｓ〜１８０μｓの自己相関関数４００の一部を例証する。いくつかの実施形態では、２つの異なる小規模セルからのＣＳＩ−ＲＳ発見信号は、例えば、｛（＋１，＋１），（＋１，−１）｝等、直交カバーコードを適用することによって、同一構成を共有することができる。
【００２６】
一実施形態では、全ての２０個の従来のＣＳＩ−ＲＳ構成は、表２に示されるような１０個の新しい発見構成に群化される。
【表２】
2017500803.tif 000004
【００２７】
ＵＥが、表２に従って２つの現在のＣＳＩ−ＲＳ構成で構成されることができ、ＵＥは、ＣＳＩ−ＲＳベースの時間および周波数同期を実施するとき、２つのＣＳＩ−ＲＳ構成からの信号を同時に処理することができる。２つの異なる小規模セルからのＣＳＩ−ＲＳ発見信号は、例えば、｛（＋１，＋１），（＋１，−１）｝等、直交カバーコードを適用することによって、同一構成を共有することができる。
【００２８】
図５は、ＲＢあたりのＲＥの合計数が、小規模セル発見ＣＳＩ−ＲＳがサブフレームの中間における２４個のＲＥの全てを占有する、従来のＣＳＩ−ＲＳから変更されないままである、ＣＳＩ−ＲＳ５００の一実施形態を例証する。図６は、図５のＣＳＩ−ＲＳ５００の自己相関関数５５０の一実施形態を例証する、グラフである。図６に示されるように、２つのピーク間の距離は、約６６．７２μｓであり、これは、ピーク不明瞭を伴わないより大きなサーチウィンドウの可能性をもたらす。２つのピーク間の距離は、ＣＳＩ−ＲＳ構成によって決定され得る。２つの異なる小規模セルからのＣＳＩ−ＲＳ発見信号は、例えば、｛（＋１，＋１），（＋１，−１）｝等、直交カバーコードを適用することによって、同一構成を共有することができる。いくつかの実施形態では、カバーコードは、例えば、｛（０，１），（１，０）｝等、他の直交コードであり得る。
【００２９】
一実施形態では、既存かつ従来のＣＳＩ−ＲＳのＲＥ以外の新しいＲＥのセットが、小規模セル発見を目的として定義される。ＣＳＩ−ＲＳ発見信号シンボルが、カバーコードを用いず、物理的ＲＥに直接マッピングされ得る。１つのＣＳＩ−ＲＳ発見信号からのＲＥは、周波数ドメイン内に均一に分配される。時間ドメインでは、それらのＲＥの対応する持続時間は、完全に重複するＲＥ、重複しないＲＥ、および／または部分的に重複するＲＥを備え得る。本実施形態では、重複するＣＳＩ−ＲＳ構成を伴う最大４０個の小規模セルが、サポートされ得る。
【００３０】
図７は、同期された小規模セルクラスタ６００におけるＣＳＩ−ＲＳセル発見の一実施形態を例証する。本実施形態では、同期されたクラスタ６００内のＣＳＩ−ＲＳのタイミングのＵＥ６０２側への不確定性が存在し得るため、ＵＥ６０２は、小規模セル発見信号としてのＣＳＩ−ＲＳの検出および／または測定に進む前に、タイミングを取得する必要があり得る。ＵＥ６０２は、同期されたクラスタのタイミングを取得するために、ＰＳＳ／ＳＳＳ  ６０８を使用する。ＰＳＳ／ＳＳＳ  ６０８は、ＣＳＩ−ＲＳを伝送する同一セル６０４、および／またはＣＳＩ−ＲＳを伝送するセルに同期された最も強いセルからもたらされ得る。ＵＥ６０２がタイミングを取得した後、ＵＥ６０２は、構成されたＣＳＩ−ＲＳを特定し、セル発見および発見されたセル６０４に対する測定を実施する。ＵＥ６０２は、サービングセル６０６に発見されたセルを報告する６１０。
【００３１】
単語「ｅｘｅｍｐｌａｒｙ（例示的）」は、本明細書において、「実施例または例証としての役割を果たす」ことを意味するように使用される。「例示的」として本明細書に説明される任意の側面または設計は、必ずしも、他の側面または設計に優る、好ましいまたは有利なものとして解釈されない。
【００３２】
前述は、単に、本開示の原理を例証する。したがって、当業者は、本明細書に明示的に説明されない、または示されないが、本開示の原理を具現化し、その精神および範囲内に含まれる、種々の配列を考案することが可能であることが理解されるであろう。さらに、本明細書に引用される全ての実施例および条件文は、主に、教授のみを目的とし、読者が発明者によって当分野にさらに寄与される本開示および本概念の原理を理解することを補助し、そのような具体的に引用される実施例および条件への限定を伴わないものであると解釈されることが、明示的に意図される。
【００３３】
本発明の１つ以上の実施形態が、上記に説明されているが、それらは、限定としてではなく、実施例にすぎないものとして提示されていることを理解されたい。同様に、種々の図または略図は、本開示に含まれ得る特徴および機能性を理解する際に、補助するために行われる、本開示に関する例示的アーキテクチャまたは他の構成を描写し得る。本開示は、例証される例示的アーキテクチャまたは構成に制限されないが、様々な代替アーキテクチャおよび構成を使用して、実装されることができる。
【００３４】
本文書に説明される機能のうちの１つ以上のものは、適切に構成されるモジュールによって実施され得る。本明細書に使用されるような用語「ｍｏｄｕｌｅ（モジュール）」は、本明細書に説明される関連付けられる機能を実施するためのハードウェア、ファームウェア、ソフトウェアおよびソフトウェアを実行する任意の関連付けられるハードウェア、ならびにこれらの要素の任意の組み合わせを指すことができる。加えて、種々のモジュールは、離散モジュールであり得る。しかしながら、当業者に明白であろうように、２つまたはそれを上回るモジュールが、本発明の実施形態に従って、関連付けられる機能を実施する単一のモジュールを形成するように組み合わせられ得る。
【００３５】
加えて、本文書に説明される機能のうちの１つ以上のものは、概して、メモリストレージデバイスまたはストレージユニット等の媒体を指すために、本明細書に使用される「コンピュータプログラム製品」、「非一過性コンピュータ読み取り可能な媒体」、および同等物内に記憶されるコンピュータプログラムコードを用いて実施され得る。コンピュータ読み取り可能な媒体のこれらおよび他の形態は、プロセッサに規定の動作を実施させるために、プロセッサによる使用のため１つ以上の命令を記憶することに関与し得る。そのような命令は、概して、実行されると、コンピューティングシステムが所望の動作を実施することを可能にする「コンピュータプログラムコード」（これは、コンピュータプログラムまたは他の群化の形態で群化され得る）と称される。
【００３６】
異なる機能的ユニット、プロセッサ、またはドメイン間の機能性の任意の好適な分配が、本発明から逸脱することなく使用され得ることが理解されるであろう。例えば、別個のユニット、プロセッサ、またはコントローラによって実施される例証される機能性は、同一のユニット、プロセッサ、またはコントローラによって実施され得る。故に、具体的機能的ユニットの言及は、厳密な論理的または物理的な構造もしくは編成を示すのではなく、説明される機能性を提供するための好適な手段の言及のみと見なされる。
【図１】
2017500803.tif 000005
【図２Ａ】
2017500803.tif 000006
【図２Ｂ】
2017500803.tif 000007
【図３】
2017500803.tif 000008
【図４Ａ】
2017500803.tif 000009
【図４Ｂ】
2017500803.tif 000010
【図５】
2017500803.tif 000011
【図６】
2017500803.tif 000012
【図７】
2017500803.tif 000013
【国際調査報告】
2017500803.tif 000014
2017500803.tif 000015
2017500803.tif 000016
2017500803.tif 000017